(57)【要約】      （修正有）【課題】入力選択操作性が良好な多機能入力スイッチ、及び該スイッチを備える撮影装置を提供することにある。【解決手段】デジタルビデオカメラは、本体２０１と、本体２０１の側部前側（レンズ前面側）にヒンジ２１０を介してＸ軸（左右軸）及びＹ軸（上下軸）の回りに夫々回動自在に取り付けられた液晶表示パネル部２０９（筐体）とを備える。液晶表示パネル部２０９は、その裏面に、表示面と、多機能入力スイッチ２１２と、選択ボタン２１４とを備える。多機能入力スイッチ２１２は、筐体１０５の側縁部の収容部に収容された環状ディスク状の回転ダイヤル１０１から成り、回転ダイヤル１０１は、環状面が全面的に露出すると共に、周側面１０３が矢印Ａ側で筐体１０５の切り欠き１０６において露出している。【選択図】図２
2006314076.tif 000002
【特許請求の範囲】
【請求項１】
回転ダイヤルを有すると共に、表示パネルを含む筐体の側縁部に収容される多機能入力スイッチにおいて、前記回転ダイヤルは、周側部及び円形面部の双方が前記筐体から露出していることを特徴とする多機能入力スイッチ。
【請求項２】
前記回転ダイヤルの下に、前記回転ダイヤルの周方向に配列された複数のタクティールスイッチを備えることを特徴とする請求項１記載の多機能入力スイッチ。
【請求項３】
前記円形面部は、その周辺部に突起又は凹部を備えることを特徴とする請求項１又は２記載の多機能入力スイッチ。
【請求項４】
請求項１乃至３のいずれか１項に記載の多機能入力スイッチと、前記筐体の側縁部に配された選択スイッチとを備えることを特徴とする複合入力装置。
【請求項５】
前記選択スイッチは、一端が前記筐体の側縁部に可動自在に連結された断面Ｌ字形部材と、前記Ｌ字形部材の他端の下方に配されたタクティールスイッチと、前記Ｌ字形部材の一端に設けられた第１の選択押下部と、前記Ｌ字形部材の他端に設けられた第２の選択押下部とを備えることを特徴とする請求項４記載の複合入力装置。
【請求項６】
本体と、前記本体の側部前側に上下軸及び左右軸の回りに夫々回動自在に取り付けられた第１の表示部とを備える撮影装置において、回転ダイヤルを有する多機能入力スイッチを備え、前記回転ダイヤルは、前記第１の表示部の表示面側縁部に収容されると共に、側面部及び円形面部が前記第１の表示部から露出していることを特徴とする撮影装置。
【請求項７】
前記回転ダイヤルの下に、前記回転ダイヤルの周方向に配列された複数のタクティールスイッチを備えることを特徴とする請求項６記載の撮影装置。
【請求項８】
前記第１の表示部が前記左右軸の回りに反転したことを検出する第１の検出手段と、前記第１の表示部が前記左右軸の回りに反転したときは、前記タクティールスイッチの検出結果を上下入れ替える入れ替え手段とを備えることを特徴とする請求項７記載の撮影装置。
【請求項９】
前記撮影装置が再生モードにあるか否かを判別する判別手段を備え、前記第１の表示部が前記左右軸の回りに反転した場合において、前記撮像装置が再生モードにあるときは、前記入れ替え手段は、前記第１の表示部の表示を上下左右夫々反転すると共に前記タクティールスイッチの検出結果を上下左右夫々入れ替えることを特徴とする請求項８記載の撮影装置。
【請求項１０】
前記撮影装置が鏡像撮影モードにあるか否かを判別する判別手段を備え、前記第１の表示部が前記左右軸の回りに反転した場合において、前記撮像装置が鏡像撮影モードにあるときは、前記入れ替え手段は、前記第１の表示部の表示を上下反転すると共に前記タクティールスイッチの検出結果を上下入れ替えることを特徴とする請求項８記載の撮影装置。
【請求項１１】
前記撮影装置が鏡像撮影モードにあるか否かを判別する判別手段を備え、前記第１の表示部が前記左右軸の回りに反転した場合において、前記撮像装置が鏡像撮影モードでないときは、前記入れ替え手段は、前記第１の表示部の表示を上下左右夫々反転すると共に前記タクティールスイッチの検出結果を上下左右夫々入れ替えることを備えることを特徴とする請求項８記載の撮影装置。
【請求項１２】
さらに、前記多機能入力スイッチの周辺に選択スイッチを備えることを特徴とする請求項６乃至１１のいずれか１項に記載の撮影装置。
【請求項１３】
前記入れ替え手段は、前記回転ダイヤルの周方向に配列された複数のタクティールスイッチの検出結果の入れ替えに基づいて、前記選択スイッチの検出結果を上下入れ替えることを特徴とする請求項１２記載の撮影装置。
【請求項１４】
さらに、前記第１の表示部が前記上下軸の回りに回動することにより前記第１の表示部が閉じたことを検出する第２の検出手段と、前記第１の表示部とは別に第２の表示部とを備え、
前記第１の表示部が閉じたことを検出した時に、前記第２の表示部に前記第１の表示部に表示させるべき表示を制御する表示制御手段を有し、
前記表示制御手段は、前記第２の表示部に任意のメニュー及びアイコンを表示させ、
前記多機能入力スイッチ及び前記選択スイッチの少なくとも一方は、前記第２の表示部に表示された前記任意のメニュー及びアイコンを任意に操作及び選択するように構成されていることを特徴とする請求項１２又は１３記載の撮影装置。
【発明の詳細な説明】
【技術分野】
【０００１】
本発明は、多機能入力スイッチ、及び該スイッチを備える撮影装置に関し、特に、小型携帯機器等の入力操作部において、開閉／回動可能な表示部に取り付けた多機能入力スイッチ、及び該スイッチを備える撮影装置に関する。
【背景技術】
【０００２】
従来、ロータリーエンコード機能を持った回転ダイヤルを回転させることにより文字やモードを選択し、回転ダイヤルを円周方向から回転軸に垂直な方向に押すことによって、選択した内容を確定するプッシュスイッチ機構付きロータリーエンコーダー等の多機能入力スイッチがある（例えば、特許文献１参照）。確定機構の異なるものとしては、円形面部を回転軸に直交する軸を中心に傾斜させることで確定するスイッチを押す機構となっているもの等も存在する。
【０００３】
一方、回転ダイヤルと確定スイッチが別になったものや、１回転はせず限られた範囲で回転することで選択するものもある。
【０００４】
多機能入力スイッチの形態としては、回転ダイヤルではなく、単に十字スイッチ又は８方向スイッチ等で項目等を選択し、センターに位置した確定スイッチで、選択した内容を確定する多機能入力スイッチ等も存在する。
【特許文献１】特開２００１−５２３８９号公報
【発明の開示】
【発明が解決しようとする課題】
【０００５】
しかしながら、従来、回転ダイヤル式の多機能入力スイッチには、単一方向からの回転操作しか行えず、また、回転動作とは独立した選択や確定操作が単一入力に限られるという制限があった。
【０００６】
本発明の目的は、入力選択操作性が良好な多機能入力スイッチ、及び該スイッチを備える撮影装置を提供することにある。
【課題を解決するための手段】
【０００７】
上記の目的を達成するために、請求項１記載の多機能入力スイッチは、回転ダイヤルを有すると共に、表示パネルを含む筐体の側縁部に収容される多機能入力スイッチにおいて、前記回転ダイヤルは、周側部及び円形面部の双方に前記筐体が露出していることを特徴とする。
【０００８】
請求項２記載の多機能入力スイッチは、請求項１記載の多機能入力スイッチにおいて、前記回転ダイヤルの下に、前記回転ダイヤルの周方向に配列された複数のタクティールスイッチを備えることを特徴とする。
【０００９】
請求項４記載の複合入力装置は、筐体の側縁部に収容された請求項１乃至３のいずれか１項に記載の多機能入力スイッチと、前記筐体の側縁部に配された選択スイッチとを備えることを特徴とする。
【００１０】
請求項６記載の撮影装置は、本体と、前記本体の側部前側に上下軸及び左右軸の回りに夫々回動自在に取り付けられた第１の表示部とを備える撮影装置において、回転ダイヤルを有する多機能入力スイッチを備え、前記回転ダイヤルは、前記第１の表示部の表示面側縁部に収容されると共に、側面部及び円形面部が前記第１の表示部から露出していることを特徴とする。
【００１１】
請求項１４記載の撮影装置は、請求項１２又は１３記載の撮影装置において、さらに、前記第１の表示部が前記上下軸の回りに回動することにより前記第１の表示部が閉じたことを検出する第２の検出手段と、前記第１の表示部とは別に第２の表示部とを備え、前記第１の表示部が閉じたことを検出した時に、前記第２の表示部に前記第１の表示部に表示させるべき表示を制御する表示制御手段を有し、前記表示制御手段は、前記第２の表示部に任意のメニュー及びアイコンを表示させ、前記多機能入力スイッチ及び前記選択スイッチの少なくとも一方は、前記第２の表示部に表示された前記任意のメニュー及びアイコンを任意に操作及び選択するように構成されていることを特徴とする。
【発明の効果】
【００１２】
本発明によれば、回転ダイヤルは、周側部及び円形面部の双方が露出しているので、回転ダイヤルを周側部及び円形面部の双方において操作可能とすることができ、回転面上面が操作可能な方向を向いている際には、回転面上面からの選択、決定操作が可能となる。
【００１３】
更に、本発明によれば、回転面上面からの押下操作が困難な場合でも、別途、筐体の側縁部に可動自在に連結された断面Ｌ字形部材とタクティールスイッチを組み合わせることで、多機能入力スイッチの入力選択操作を良好なものにすることができる。
【発明を実施するための最良の形態】
【００１４】
以下、本発明の実施の形態を図面を参照しながら詳述する。
【００１５】
図１は、本発明の実施の形態に係る多機能入力スイッチの構成を概略的に示す図である。
【００１６】
図１において、多機能入力スイッチ１００は、筐体１０５の側縁部の収容部に収容された環状ディスク状の回転ダイヤル１０１から成り、回転ダイヤル１０１は、環状面が全面的に露出すると共に、周側面１０３が矢印Ａ側で筐体１０５の切り欠き１０６において露出している。回転ダイヤル１０１の周側面１０３のうち図中ａで示す部分は、筐体１０５の陰となって矢印Ａ方向からは目視できない。
【００１７】
多機能入力スイッチ１００は、回転ダイヤル１０１の中央にセンターボタン１０７を有し、回転ダイヤル１０１の下に９０度の等角度間隔でタクティールスイッチ１１３〜１１６を、センターボタン１０７の下にタクティールスイッチ１１７を夫々備える。タクティールスイッチ１１３〜１１６は、それを押してもロックせず、放すと同時に元へ戻るノンロックタイプのスイッチであり、回転ダイヤル１０１の上面からの指による押下により閉じて、指を放したときに開く。
【００１８】
筐体１０５には、回転ダイヤル１０１の周囲に被い部１２３を有し、この被い部１２３は、回転ダイヤル１０１との間に、回転ダイヤル１０１が回転すると共にタクティールスイッチ１１３〜１１６を押下するのに必要且つ十分なクリアランスを有する。
【００１９】
筐体１０５は、回転ダイヤル１０１の収容部の底面中央にセンタースイッチ１０７及びタクティールスイッチ１１７を収納するように円形のリブ１２５を有し、センタースイッチ１０７との間にセンタースイッチ１０７が摺動するための必要且つ十分なクリアランスを有する。リブ１２５はゴム等の弾性部材で作られてもよく、この場合、タクティールスイッチ１１３〜１１６の１つを閉じるべく回転ダイヤルの一方の側を押下するときに、均質な操作感を実現することができる。
【００２０】
回転ダイヤル１０１の上面には、その周辺部に滑り止めとして凹み１０２が配されている。これにより、回転ダイヤル１０１を上面から指で操作する場合に滑らずに操作することができる。凹み１０２は凸部に代えることができる。また、回転ダイヤル１０１の周側面１０３にも滑り止めのギザギザが設けられており、回転ダイヤル１０１の周側面を指で操作する場合に滑らずに操作することができる。
【００２１】
また、多機能入力スイッチ１００は、回転ダイヤル１０１の下において、同じばね特性をもつ３つのロータリエンコード用電気接点１１１，１１２を互いに対角的に備える。回転ダイヤル１０１は、その裏面周辺部に、電気接点１１１，１１２やタクティールスイッチ１１３〜１１６に対応して配された凹凸パターンの円盤状金属板を備え、電気接点１１１，１１２と協働してロータリエンコーダーを構成する。
【００２２】
回転ダイヤル１０１の下において同じばね特性をもつ電気接点を互いに対角的に配置することにより、回転ダイヤル１０１が傾斜するのを防止し、必要に応じて接触性の高い方の接点を用いることができる。このように電気接点１１１，１１２を一対設ける構成は必ずしも必要ではない。
【００２３】
図１の多機能入力スイッチによれば、ロータリーエンコーダーを構成する回転ダイヤル１０１を回転させたり、回転ダイヤル１０１の周辺部を押下してタクティールスイッチ１１３〜１１６を開閉することにより選択操作を行い、センタースイッチ１０７を押下することにより、決定操作を行うことができ、もって、入力選択操作性が良好な多機能入力スイッチを提供することができる。
【００２４】
本実施の形態では、タクティールスイッチ１１３〜１１６を４つ用いて「十字入力機能」を実現したが、４つ以外にも、例えば、８つのタクティールスイッチを設けて「８方向入力機能」を実現してもよい。また、スイッチは、タクティールスイッチに限定されず、他のスイッチを用いてもよい。
【００２５】
図２は、図１の多機能入力スイッチを備えるデジタルビデオカメラの外観を概略的に示す斜視図であり、液晶表示パネル部が開いた場合を示す。
【００２６】
図２のデジタルビデオカメラは、本体２０１と、本体２０１の側部前側（レンズ前面側）にヒンジ２１０を介してＸ軸（左右軸）及びＹ軸（上下軸）の回りに夫々回動自在に取り付けられた液晶表示パネル部２０９（筐体）とを備える。
【００２７】
本体２０１は、ＣＣＤ（Charged Coupled Device）、及び記録再生用のテープカセットを着脱可能に収容する不図示の映像記録／再生部を内蔵し、さらに、前面にレンズ光学系２０２、後面にＥＶＦ（Electrical View Finder）２０３、着脱可能なバッテリー２０４、モードダイヤル２０５、及びスタート／ストップボタン２０６を備え、頂面にシャッターボタン２０７、側面に機能スイッチ２０８を備える。
【００２８】
液晶表示パネル部２０９は、その裏面に、表示面と、多機能入力スイッチ２１２と、選択ボタン２１４とを備える。多機能入力スイッチ２１２は、図１を用いて説明したものと同じであり、回転ダイヤル１０１と、センターボタン１０７とを備える。回転ダイヤル１０１は周側面１０３を有する。
【００２９】
液晶表示パネル２０９は、側縁部に、選択ボタン２１５と、選択ボタン２１６とを備える。
【００３０】
レンズ光学系２０２は、被写体からの映像を本体２０１内部のＣＣＤに結像させる。ＥＶＦ２０３は、液晶表示パネル２０９を使用しないときに、液晶表示パネル２０９を用いた場合と同様の内容を表示する。バッテリー２０４は、本装置に電源を供給するためのリチウムイオン電池をもつユニットである。
【００３１】
モードダイヤル２０５は、ＯＦＦ、カメラモード、テープ再生モード等、カメラの動作モードを回転により切り替える。スタート／ストップボタン２０６は、モードダイヤル２０５を回転させてカメラモードにした後に、１度押すと撮影開始、再び押すと撮影スタンバイ、また再び押せば、再び撮影開始といったようにトグル動作する。押している間だけ撮影記録することも別途設定により可能である。シャッターボタン２０７は、撮影スタンバイ状態で押すことにより静止画記録を行うものである。記録先は、一般的には、テープ又はメモリカード等（共に不図示）である。機能スイッチ２０８は、各種モード設定を行ったり、テープ再生モードのときの再生ボタン等として使用されたりする。機能スイッチ２０８は、この機能を多機能入力スイッチ２１２にもたせることにより省略することができる。
【００３２】
液晶表示パネル部２０９は、レンズ光学系２０２より入力される映像を表示したり、不図示のテープの映像記録／再生部により再生される映像等を表示したり、機能スイッチ２０８や多機能入力スイッチ２１２等による制御に関する表示を行う。
【００３３】
ヒンジ２１０は、液晶表示パネル部２０９を本体２０１にＸ軸及びＹ軸の周りに夫々回動自在に取り付けているので、例えば、本体２０１を高い位置に持ち上げての撮影では、液晶表示パネル部２０９の表示面を下に向けたり、本体２０１を低い位置に保持しての撮影では、液晶表示パネル部２０９の表示面を上に向けたりして、液晶表示パネル２０９を撮影者が見易い角度に調整することができる。この場合、液晶表示パネル部２０９を回動させても、本体２０１内部と液晶表示パネル部２０９を接続する電気配線（不図示）は、絡んだり引っ張られたりしないようになっている。
【００３４】
多機能入力スイッチ２１２は、ロータリエンコーダーを構成する回転ダイヤル１０１を回転させたり、回転ダイヤル１０１の周辺部を押下してタクティールスイッチ１１３〜１１６を開閉することにより選択操作を行い、センタースイッチ１０７を押下することにより、決定操作を行うことができる。
【００３５】
多機能入力スイッチ２１２の選択操作は、選択スイッチ２１４〜２１６の操作と組み合わせて行ってもよい。
【００３６】
図３は、図２のデジタルビデオカメラの外観図を概略的に示す斜視図であり、液晶表示パネル部を閉じた場合を示す。
【００３７】
図３では、液晶表示パネル部２０９の表示面や、回転ダイヤル１０１の環状面及びセンターボタン１０７、選択ボタン２１４等が隠れており、これらは、操作できない状態であるが、回転ダイヤル１０１については、その周側面１０３が露出しており、回転操作を行うことができる。
【００３８】
図４は、図２のデジタルビデオカメラの外観図を概略的に示す斜視図であり、液晶表示パネル部を反転させた場合を示す。
【００３９】
図２の状態において、液晶表示パネル部２０９をＸ軸の回りに反転させた後、Ｙ軸の回りに回転させて閉じたものである。これにより、液晶表示パネル部２０９の表示面が見える状態で、表示面及び回転ダイヤル等が天地反対になった状態となる。
【００４０】
本実施の形態によれば、図２に示すように、多機能入力スイッチ２１２と液晶表示パネル部２０９の表示面が同一面にあるので、操作者に表示内容と多機能入力スイッチ２１２の対応が直感的に分かり易くなり、しかも、図３に示すように、液晶表示パネル２０９を閉じて多機能入力スイッチ２１２の一部が隠れたとしても、多機能スイッチ２１２を周側面１０３により操作することができる。これにより、操作者は、ＥＶＦ２０３を見ながら、多機能スイッチ２１２の回転ダイヤル１０１を操作することができる。
【００４１】
図５は、図２のデジタルビデオの内部構成を概略的に示すブロック図である。
【００４２】
図５において、ビデオカメラのレンズ５０１は、不図示の被写体を撮像するためのズーム機能付きレンズである。ＣＣＤ（Charge Coupled Device）５０２は、レンズ５０１で構成される光学系より入ってくる像を撮像する撮像素子である。撮像素子駆動部５０３は、カメラ信号処理部５０６からのタイミングに従ってＣＣＤ５０２を駆動する。
【００４３】
ＣＤＳ（Correlated Double Sampling）／ＡＧＣ（Auto Gain Controller）部５０４は、ＣＣＤ５０２からのアナログ信号をサンプリングすると共に、システム制御部５１３からの制御により、信号レベルのゲインコントロールを行う。
【００４４】
Ａ／Ｄ（Analog/Digital）変換器５０５は、前段からのアナログ信号をデジタル信号に変換する。カメラ信号処理部５０６は、タイミング生成や、ＡＥ（Auto Exposure）制御、ＡＦ（Auto Focus）制御等、システム制御部５１３と連携してカメラ撮像系の制御を担う。マイク５０７は、撮像系を経て入ってきた映像と合わせて周囲の音を記録するために集音する。メモリ制御部５０８は、汎用記憶部５０９を制御すると共に、カメラ信号処理部５０６からの映像信号に特殊効果（フェードイン／アウト、ワイプ、スクロール、モザイク、白黒、セピア処理等）を汎用記憶部５０９での処理を活用して実現する。汎用記憶部５０９は、各種制御手段を実現するためのプログラム及びデータ等を納め、制御実行のために必要に応じて作業領域としても使用するＲＯＭやＲＡＭである。ビデオ制御部５１０は、テープ記録／再生部５１２の制御を行うと共に、撮像系から入ってくるデジタル映像信号と、キャラクタジェネレータ５１１で生成されるテキストタイトルや、外部記録媒体５１５に記録されている画像情報をシステム制御部５１３と連携して合成する等の制御も行う。
【００４５】
キャラクタジェネレータ５１１は、表示するための文字や記号の画素（bit）パターンを記録してある読み出し専用メモリ（ＲＯＭ）から、制御用ＣＰＵを介して計時部５１７から読み出した日時を基に日付や時刻の文字（タイムコード）や記号のキャラクタ等を読み出す。そしてビデオ制御部５１０において、合成したい映像（画面）の水平及び垂直同期信号に応じて、ビデオ信号に合成し、テープ記録／再生部により記録される。図中では、ＲＯＭも含めて書いてある。また、キャラクタジェネレータ５１１など以外にも、汎用記憶部５０９にビットマップＯＳＤのデータを置き、そのビットマップデータをビデオ制御部５１０で読み出して、映像に重畳することも可能である。
【００４６】
テープ記録／再生部５１２は、ビデオ制御部５１０によりＤＶ規格のＳＤフォーマットにエンコードされた映像信号をＤＶテープに記録又はＤＶテープから再生する。
【００４７】
システム制御部５１３は、後述する図６の制御処理を実行する。
【００４８】
外部記録媒体接続インタフェース５１４は、ここでは、メモリカードのスロットである。外部記憶媒体５１５は、ここでは、メモリカードである。このメモリカードには、予め任意の静止画像を記録しておく。
【００４９】
入力操作部５１６は、図１の多機能入力スイッチや、その他独立した選択ボタンや決定ボタン、各種モードボタン等を含む。計時部５１７は、リアルタイムクロック（ＲＴＣ）とバックアップ電池備え、日時をカウントしており、システム制御部５１３からの要求に応じて、日時情報を返信する。
【００５０】
Ｄ／Ａ変換器５１８は、カメラ部からの映像信号や、テープ記録された映像情報を、ビデオ制御部５１０経由でデジタルとして受けてアナログ信号に変換して、液晶表示パネル部５１９に送る。液晶表示パネル５１９は、カメラ部からの映像信号や、テープ再生の映像信号、外部記録媒体内の任意の画像情報、また、操作部５１６からのユーザによる入力操作情報に基づくキャラクタジェネレータ５１１からのＯＳＤ（On Screen Display）情報等を表示する。
【００５１】
液晶表示パネル状態検出部５２０は、ホール素子や物理スイッチ等で、液晶表示パネル５１９の開閉や回転の状態を検出する。Ｄ／Ａ変換器５２１はＤ／Ａ変換器５１８と同等である。ＥＶＦ５２２は、液晶表示パネル５１９と同等の表示を行う。Ｄ／Ａ変換器５２３は、Ｄ／Ａ変換器５１８と同等である。ラインアウト５２４は、外部テレビモニタ等と、コンポジットもしくはＳケーブルで接続し、液晶表示パネル５１９と同等の表示を行う。
【００５２】
図６は、図２のデジタルビデオカメラの制御処理の手順を示すフローチャートである。
【００５３】
この場合、デジタルビデオカメラは、図２の状態から液晶表示パネル部２０９をＸ軸の回りに反転した状態を想定する。
【００５４】
図６において、デジタルビデオカメラが待機状態にあるときに、磁気変動を検出するホール素子や物理スイッチ（共に不図示）により本体２０１に対する液晶表示パネル部２０９の位置関係やＸ軸及びＹ軸の回りの回転を検出することにより液晶表示パネル部２０９のＸ軸の回りの１８０度回転（反転）を検出すると（ステップＳ６０２でＹＥＳ）、デジタルビデオカメラが再生モードにあるか否かを判別し（ステップＳ６０３）、再生モードになく撮影モードにあるときは、撮影モードが鏡像撮影モードであるか否かを判別する（ステップＳ６０４）。
【００５５】
ステップＳ６０３の判別の結果、デジタルビデオカメラが再生モードにあるか、又はステップＳ６０４の判別の結果、撮影モードが鏡像撮影モードにないときは、液晶表示パネル部２０９が反転していること及び軸Ｘの回りに反転していることに合わせるために、表示映像の上下左右反転を行って、通常表示画面と同等にし（ステップＳ６０７）、次いで、上記表示映像の上下左右反転に合わせて、「十字入力機能」の上下左右を夫々入れ替えて（ステップＳ６０８）、液晶表示パネル部２０９のＸ軸回りの反転、及び表示映像の少なくとも上下反転に合わせて、回転ダイヤル１０１による操作方向の反転させるために、回転ダイヤル１０１の回転検出方向を反転して（ステップＳ６０９）、本処理を終了する。
【００５６】
ステップＳ６０４の判別の結果、撮影モードが鏡撮影モードにあるときは、撮影映像を液晶パネル部２０９のＸ軸周りの反転に合わせて鏡像表示とするために表示映像の上下反転のみを行い（ステップＳ６０５）、同様に、上記鏡像表示に合わせて「十字入力機能」の上下を入れ替え（ステップＳ６０６）、液晶表示パネル部２０９のＸ軸周りの反転及び表示映像の鏡像表示に合わせて、回転ダイヤル１０１による操作方向の反転させるために、回転ダイヤル１０１の回転検出方向を反転して（ステップＳ６０９）、本処理を終了する。
【００５７】
図７は、図１の多機能入力スイッチの変形例を説明する図である。
【００５８】
図７において、回転ダイヤル１０１の周囲の上下及び右側において筐体１０５には、タクティールスイッチの位置を示す方向マーカ７０１が配されている。この方向マーカ７０１は、タクティールスイッチを閉じるべく回転ダイヤル１０１を押下するときに、操作者が押下すべき位置を触覚及び視覚的に示す。
【００５９】
このように、回転ダイヤル１０１の周囲の上下及び右側において筐体１０５にタクティールスイッチの位置を示す方向マーカ７０１を配することによって、回転ダイヤル２１２の回転により操作者の方向感覚が希薄になることを補い、且つ、暗闇での操作等を補助することができる。
【００６０】
図８は、図７における選択ボタン２１４，２１５の断面図である。
【００６１】
図８において、選択スイッチ２１４，２１５は、筐体１０５にスイッチヒンジ８０１を介して回動自在に取り付けられた断面逆Ｌ字形のボタン台８０２に設けられており、選択スイッチ２１４の下方には、タクティールスイッチ８０３が配されている。ボタン台８０２は、内側に向けて可動であり、図示しないバネにより図示位置に保持されている。これにより、タクティールスイッチ８０３は、選択スイッチ２１４の押下によっても、選択スイッチ２１５の押下によっても閉じ、選択スイッチ２１４，１２５の押下が解除されると、開く。
【００６２】
図８の選択スイッチ２１４，２１５と図２の多機能入力スイッチ２１２を複合入力装置として組み合わせることにより、例えば、図３に示すように、選択スイッチ２１４が押下できない状態であっても、選択スイッチ２１５を押下することによって、タクティールスイッチ８０３を閉じることができる。換言すれば、１つのタクティールスイッチ８０３だけで、２方向からの選択入力を受け付けることができ、操作の利便性を確保した上でコストダウンを図ることができる。
【００６３】
図９は図２の、図１１は図３の、図１２は図４の、選択スイッチ２１６部分を図８に示す選択スイッチ２１４，２１５部分と同じ構造を持つもので変更したものである。図１０は、図９における液晶表示パネル部２０９の表示面９０１を撮影対象側（レンズの方向）に回転させた時のイメージ図である。これらイメージ図は、デジタルビデオカメラの動作モードに応じて、夫々図中に示すように多機能入力スイッチ１００部分、並びに選択スイッチ２１４，２１５及び選択スイッチ２１６，９０２の夫々の上下及び左右の選択制御を入れ替えた様子を示す。
【００６４】
図１３は、本デジタルビデオカメラの動作モードを詳細に示す図であり、図中の各動作モードと図９〜図１２との対応関係を表す。
【００６５】
ここでは、図９における液晶表示パネル部２０９の表示面９０１を見ながらの撮影又は再生（プレビューを含む）状態での、多機能入力スイッチ１００での回転ダイヤル１０１の回転方向や、十字入力機能のキー入力動作や、多機能入力スイッチ１００の上下に配置した選択スイッチ２１４，２１５及び選択スイッチ２１６，９０２の入力をNormal状態と定義する。これにより、図１２に示すように液晶表示パネル部２０９を回転させて表示面９０１が見える形で本体に閉じたときは、表示面９０１の表示が上下反転及び左右反転（１８０度回転した状態）となることに合わせて、多機能入力スイッチ１００の十字入力機能の上下入力及び左右入力を入れ替えることを示す。この場合、必ずしも動作を入れ替える（反転する）だけでなく、必要に応じて動作禁止（入力無視）等の制御を行ってもよい。
【００６６】
また、図１１や図１２に示すように液晶表示パネル部２０９を本体側に閉じた状態では、特に撮影（ＲＥＣ）モードにおいては、撮影者から表示面９０１が見えない又は見えにくいため、第２の表示部であるＥＶＦ２０３に表示面９０１と同等の内容を表示する。この場合の多機能スイッチの回転ダイヤルやＬ字型の機構を採用した選択スイッチの操作について考えると、図１１に示すように表示面と同一面の操作機能が使えなくても、表示面側面からアクセス可能となっており、別の表示部（ここではＥＶＦ表示）を見ながらの操作も容易となる。図１２において、操作者がＥＶＦ表示を見ながら操作する場合も、ダイヤルの回転方向や、選択スイッチの機能の入れ替えが行われるため、操作者は混乱無く図１１の場合と同様の操作が可能となる。
【００６７】
図１４は、実際に表示面９０１やＥＶＦ２０３にメニューを表示した場合の、イメージ図であり、表示画面１４０１に、メニューリスト１４０２、サブメニューリスト１４０３が表示された状態を示している。多機能スイッチ１００の回転ダイヤル１０１を側面又は可能であればダイヤル面から回転させることで、メニューリスト１４０２内で選択される項目が上下に連動する。図１４の図中では、「カメラ設定」が仮選択された状態を示している。ここでは、「カメラ設定」の右側にサブメニューとして、「カメラ設定」に属するリストが表示されている。この状態で、選択スイッチ２１４又は２１５が押されるか（センタースイッチ１０７を押下することでも可）、多機能スイッチ１００の十字入力機能により、右が選択されると、サブメニュー１４０３内に選択制御が移り、回転ダイヤル１０１の回転操作により、サブメニュー１４０３内で選択される項目が上下に連動する。サブメニュー１４０３内の項目を選択／決定するには、上述と同様に選択スイッチ２１４又は２１５が押されるか、センタースイッチ１０７を押下することにより、決定操作を行うことができる。また、選択せずに一つ戻りたい場合には、選択スイッチ２１６又は９０２を押すことで戻ることが可能である。
【００６８】
これらの制御において、操作者に対して操作の一貫性を持たせるために、各動作モードにおいて、表示部及び多機能スイッチや選択スイッチ等の操作部の回転等により表示及び操作状況が変化しても、上下や左右の制御を適宜入れ替えることで容易に対応可能である。
【００６９】
図１５、図１６は別途備える静止画撮影モードにおいて撮影した静止画のサムネイル表示や、動画撮影したシーンのチャプタ表示のイメージ図である。ここでも、多機能スイッチ１００を操作することで、図１５に示すように回転ダイヤル１０１の回転操作で連続的に内容をスクロール選択可能となり、図１６に示すように途中で、十字入力機能を組み合わせることで上下（又は左右）に移動でき、操作者が直感的に選択したいサムネイル又はチャプタを選択可能な様子を示す。
【００７０】
図１７は、別途備える静止画撮影モードにおいて撮影した静止画や、撮影した動画の１シーンにおいて、表示倍率を多機能スイッチ１００を用いて変更する様子を示した図である。図１７（Ａ）は全画角で表示した状態であり、回転ダイヤル１０１を回転させることにより、表示倍率を変更し、図１７（Ｂ）は拡大表示した一例を示す。
【００７１】
図１７（Ｂ）は、図１７（Ａ）の中心を中心として拡大表示しており、全画角の内、操作者が表示させたい任意の部分を表示するために、十字入力機能を用いて表示位置を変えたイメージを表しているのが、図１７（Ｃ）である。このように、表示倍率操作においても、回転ダイヤル１０１と十字入力機能を使うことで、簡便に表示倍率と表示の中心位置を変更することが可能となる。
【図面の簡単な説明】
【００７２】
【図１】本発明の実施の形態に係る多機能入力スイッチの構成を概略的に示す図である。
【図２】図１の多機能入力スイッチを備えるデジタルビデオカメラの外観を概略的に示す斜視図であり、液晶表示パネル部が開いた場合を示す図である。
【図３】図２のデジタルビデオカメラの外観図を概略的に示す斜視図であり、液晶表示パネル部を閉じた場合を示す図である。
【図４】図２のデジタルビデオカメラの外観図を概略的に示す斜視図であり、液晶表示パネル部を反転させた場合を示す図である。
【図５】図２のデジタルビデオカメラの内部構成を概略的に示すブロック図である。
【図６】図２のデジタルビデオカメラの制御処理の手順を示すフローチャートである。
【図７】図１の多機能入力スイッチの変形例を説明する図である。
【図８】図７における選択ボタンの断面図である。
【図９】図１の多機能入力スイッチを備えるデジタルビデオカメラの外観を概略的に示す斜視図であり、液晶表示面が撮影者側から見える状態で、液晶表示パネル部が開いた場合を示す図である。
【図１０】図９のデジタルビデオカメラの外観図を概略的に示す斜視図であり、液晶表示面が撮影者側から見えない状態（対面撮影モード）で、液晶表示パネル部が開いた場合を示す図である。
【図１１】図９のデジタルビデオカメラの外観図を概略的に示す斜視図であり、液晶表示面が見えない状態で、液晶表示パネル部を本体側に閉じた場合を示す図である。
【図１２】図９のデジタルビデオカメラの外観図を概略的に示す斜視図であり、液晶表示面が見える状態で、液晶表示パネル部を本体側に閉じた場合を示す図である。
【図１３】図９のデジタルビデオカメラの動作モードを詳細に示す図であり、多機能スイッチや選択スイッチの制御内容を対応させた図である。
【図１４】図９のデジタルビデオカメラにおいて、表示部に表示されたメニューの表示状態を示す図である。
【図１５】図９のデジタルビデオカメラの表示部において、撮影した静止画のサムネイル表示や、動画撮影したシーンのチャプタ表示を選択するイメージを説明する図である。
【図１６】図９のデジタルビデオカメラの表示部において、撮影した静止画のサムネイル表示や、動画撮影したシーンのチャプタ表示を選択するイメージを説明する図である。
【図１７】図９のデジタルビデオカメラの表示部において、撮影した静止画や動画の１シーンの表示倍率を多機能スイッチを用いて変更する様子を説明する図である。
【符号の説明】
【００７３】
１００，１２２  多機能入力スイッチ
１０１  回転ダイヤル
１０２  凹み
１０３  周側面
１０５  筐体
１０６  切り欠き
１０７  センターボタン
１１１〜１１２  電気接点
１１３〜１１７  タクティールスイッチ
１２３  被い部
１２５  リブ
２０９  液晶表示パネル部
２１０  ヒンジ
２１４〜２１６  選択ボタン
９０１  表示面
【図１】
2006314076.tif 000003
【図２】
2006314076.tif 000004
【図３】
2006314076.tif 000005
【図４】
2006314076.tif 000006
【図５】
2006314076.tif 000007
【図６】
2006314076.tif 000008
【図７】
2006314076.tif 000009
【図８】
2006314076.tif 000010
【図９】
2006314076.tif 000011
【図１０】
2006314076.tif 000012
【図１１】
2006314076.tif 000013
【図１２】
2006314076.tif 000014
【図１３】
2006314076.tif 000015
【図１４】
2006314076.tif 000016
【図１５】
2006314076.tif 000017
【図１６】
2006314076.tif 000018
【図１７】
2006314076.tif 000019